(57)【要約】【課題】ガイド部材としての機能を有しつつ、原価が低減でき且つ商品性の向上した座席及びその製造方法を提供する。【解決手段】表皮５は、第１表皮部材６の表面６ａ側の端部６ｂと第２表皮部材７の表面７ａ側の端部７ｂとを重ねると共に前記第２表皮部材７の端部７ｂの裏面７ｃ側に配した適宜の剛性を有するガイド部材８を覆うように第２表皮部材７を折り返して、第１表皮部材６、第２表皮部材７、ガイド部材８の四枚を重ねて共に固持してなる。【選択図】        図３
2005013620.tif 000002
【特許請求の範囲】
【請求項１】
芯材と、該芯材を囲繞する緩衝体と、該緩衝体を囲繞する表皮とよりなるシートクッション或いはシートバックにより構成されてなる座席において、
前記表皮は、第１表皮部材の表面側の端部と第２表皮部材の表面側の端部とを重ねると共に前記第２表皮部材の端部の裏面側に配した適宜の剛性を有するガイド部材を覆うように第２表皮部材を折り返して、第１表皮部材、第２表皮部材、ガイド部材の四枚を重ねて共に固持してなることを特徴とする座席。
【請求項２】
請求項１に記載の座席であって、
前記ガイド部材は、適宜の剛性を有すると共に断面が略円形状を成す玉縁部と、該玉縁部に尾ひれのように突出されてなる可撓性を有する支持部とよりなることを特徴とする座席。
【請求項３】
請求項１又は請求項２に記載の座席であって、
前記ガイド部材の玉縁部は、前記第１表皮部材の表面側の面位置より上側に突出した位置に配設されてなることを特徴とする座席。
【請求項４】
芯材を緩衝体で囲繞し、該緩衝体を表皮で囲繞してシートクッション或いはシートバックが成形されてなる座席の製造方法において、
前記表皮は、第１表皮部材の表面側の端部と第２表皮部材の表面側の端部とを重ねると共に前記第２表皮部材の裏面側の端部にガイド部材の支持部を重ねて、該三枚の部材を支持してなり、前記第２表皮部材を折り返すことで前記ガイド部材の玉縁部を覆い、第１表皮部材、第２表皮部材、ガイド部材の支持部の四枚を重ねて共に固持してなることを特徴とする座席の製造方法。
【請求項５】
芯材を緩衝体で囲繞し、該緩衝体を表皮で囲繞してシートクッション或いはシートバックが成形されてなる座席の製造方法において、
前記表皮は、第１表皮部材の表面側の端部と第２表皮部材の表面側の端部とを重ねると共に前記第２表皮部材の裏面側の端部にガイド部材の支持部を重ねて、該三枚の部材を支持してなり、前記第２表皮部材を折り返すことで前記ガイド部材の玉縁部を覆い、第２表皮部材、ガイド部材の支持部の三枚を重ねて共に固持してなることを特徴とする座席の製造方法。
【発明の詳細な説明】
【０００１】
【発明の属する技術分野】
この発明は、少なくとも表皮に仕切を有する座席に関するものである。
【０００２】
【従来の技術】
少なくとも表皮に仕切を有する座席としては、例えば、表皮と表皮との仕切にガイド部材を配した例がある。このガイド部材は、例えば、着座面側の表皮と車両側方を向く側面側の表皮との間に設けられているもので、表皮から露出しているため、ガイド部材には、表皮と同じ品質を求められる。つまり、ガイド部材は、合成樹脂製の芯材と、該芯材を覆うと共に座席の表皮の材質とほとんど異なることのない高価な表皮材とよりなる。該表皮材は、芯材を略一周するように巻き付けられ、その両端部の裏面が対向するように重ね合わされている。該表皮材は、本革、合成皮革、不織布、織布など、周知の種々の材料を用いている。延伸性を有することが好ましい。ガイド部材は、ポリエステル繊維の束を編み上げて円筒状に形成されてなる。
【０００３】
該ガイド部材の芯材の周面には、編み上げ構造であることにより、ガイド部材が起伏部が設けられており、表皮との間に摩擦抵抗を大きくしてあり、製造工程中に芯材に対して表皮の位置ずれがし難い。このため、芯材に対する表皮の立体的な異常、例えば弛み、ひきつり、皺、ねじれ等が生じにくい（例えば、特許文献１。）。
【０００４】
【特許文献１】
特開２０００−１１２６８号公報（構成の説明、図１乃至４）
【０００５】
【発明が解決しようとする課題】
しかしながら、このような従来の技術にあっては、ガイド部材の表皮材が座席の表皮の材質とほとんど異なることのない高価なものを芯材に略一周するように巻き付けなけねばならず、原価高騰の一原因になるばかりか、座席の表皮から露出したガイド部材と表皮とが色調や艶とで異なると、商品性を損なうことになり、再度やり直しの恐れすらあり、品質管理工数も多大となることにより、改善が求められている。
【０００６】
この発明は、このような従来の技術に着目してなされたものであり、ガイド部材としての機能を有しつつ、原価が低減でき且つ商品性の向上した座席及びその製造方法を提供するものである。
【０００７】
【課題を解決するための手段】
かかる従来技術を解決するために、請求項１に記載の発明は、芯材と、該芯材を囲繞する緩衝体と、該緩衝体を囲繞する表皮とよりなるシートクッション或いはシートバックにより構成されてなる座席において、前記表皮は、第１表皮部材の表面側の端部と第２表皮部材の表面側の端部とを重ねると共に前記第２表皮部材の端部の裏面側に配した適宜の剛性を有するガイド部材を覆うように第２表皮部材を折り返して、第１表皮部材、第２表皮部材、ガイド部材の四枚を重ねて共に固持してなることを特徴とする。
【０００８】
請求項１に記載の発明によれば、ガイド部材が第２表皮部材によって覆われてなることで、第２表皮部材を介してガイド部材の形、つまり、表皮の仕切機能を有しつつ、ガイド部材は、芯材であればよいので、製造原価が著しく低減でき、芯材であるガイド部材を覆うのは、第２表皮部材そのものであるので、色調や艶にバラツキは生ぜず、商品性を向上できることになる。
【０００９】
請求項２に記載の発明は、請求項１に記載の座席であって、前記ガイド部材は、適宜の剛性を有すると共に断面が略円形状を成す玉縁部と、該玉縁部に尾ひれのように突出されてなる可撓性を有する支持部とよりなることを特徴とする。
【００１０】
請求項２に記載の発明によれば、適宜の剛性を有する玉縁部を適宜曲げることでその形状に保持されるので、表皮の仕切部の形状をより出し易くなる。また、支持部は、可撓性を有するので、玉縁部の形状に追従し、何等抵抗体にならないので、形状出しが容易にできる。また、玉縁部を第２表皮材の裏面側に配設されてなるので、裏面側に配した第２表皮材がガイド部材に引っ張られて、第２表皮材に皺が発生せず、商品性を高めることができる。
【００１１】
請求項３に記載の発明は、請求項１又は請求項２に記載の座席であって、前記ガイド部材の玉縁部は、前記第１表皮部材の表面側の面位置より上側に突出した位置に配設されてなることを特徴とする。
【００１２】
請求項３に記載の発明によれば、第１表皮部材の表面側の面位置より上側に突出したガイド部材の玉縁部により、仕切が確実になる。
【００１３】
請求項４に記載の発明は、芯材を緩衝体で囲繞し、該緩衝体を表皮で囲繞してシートクッション或いはシートバックが成形されてなる座席の製造方法において、前記表皮は、第１表皮部材の表面側の端部と第２表皮部材の表面側の端部とを重ねると共に前記第２表皮部材の端部の裏面側にガイド部材の支持部を重ねて、該三枚の部材を支持してなり、前記第２表皮部材を折り返すことで前記ガイド部材の玉縁部を覆い、第１表皮部材、第２表皮部材、ガイド部材の支持部の四枚を重ねて共に固持してなることを特徴とする。
【００１４】
請求項４に記載の発明によれば、表皮は、第１表皮部材の表面側の端部と第２表皮部材の表面側の端部とを重ねると共に前記第２表皮部材の端部の裏面側にガイド部材の支持部を重ねて、該三枚の部材を支持してなるので、ガイド部材の位置が安定的に支持できる。また、ガイド部材が第２表皮部材によって覆われてなることで、第２表皮部材を介してガイド部材の形、つまり、表皮の仕切機能を有する。更に、ガイド部材は、芯材そのものであればよいので、製造原価が著しく低減できる。更に、芯材であるガイド部材を覆うのは、第２表皮部材そのものであるので、色調や艶にバラツキは生ぜず、商品性を向上できることになる。
【００１５】
請求項５に記載の発明は、芯材を緩衝体で囲繞し、該緩衝体を表皮で囲繞してシートクッション或いはシートバックが成形されてなる座席の製造方法において、前記表皮は、第１表皮部材の表面側の端部と第２表皮部材の表面側の端部とを重ねると共に前記第２表皮部材の端部の裏面側にガイド部材の支持部を重ねて、該三枚の部材を支持してなり、前記第２表皮部材を折り返すことで前記ガイド部材の玉縁部を覆い、第２表皮部材、ガイド部材の支持部の三枚を重ねて共に固持してなることを特徴とする。
【００１６】
請求項５に記載の発明によれば、表皮は、第１表皮部材の表面側の端部と第２表皮部材の表面側の端部とを重ねると共に前記第２表皮部材の端部の裏面側にガイド部材の支持部を重ねて、該三枚の部材を支持してなるので、ガイド部材の位置が安定的に支持できる。また、ガイド部材が第２表皮部材によって覆われてなることで、第２表皮部材を介してガイド部材の形、つまり、表皮の仕切機能を有する。更に、ガイド部材は、芯材そのものであればよいので、製造原価が著しく低減できる。更に、芯材であるガイド部材を覆うのは、第２表皮部材そのものであるので、色調や艶にバラツキは生ぜず、商品性を向上できることになる。更に、第２表皮部材をガイド部材と共に支持されることで、三枚重ねで済み、支持手段が簡易となる。
【００１７】
【発明の実施の形態】
以下、この発明の好適な一実施形態を、図１乃至図３を参照に説明する。
【００１８】
符号１は、座席であり、該座席１は、シートバック２とシートクッション３とより少なくとも構成されてなる。少なくとも構成されてなる、というのは、前記シートバック２及びシートクッション３以外に、ヘッドレスト、リクライニング装置、ポケット、バックカバー、エアバッグ装置など周知の機構を備えたものでも良いからである。
【００１９】
前記シートバック２或いはシートクッション３は、図示しない芯材と、該芯材を囲繞する緩衝体４と、該緩衝体４を囲繞する表皮５とよりなる。前記表皮５は、前記シートバック２或いはシートクッション３の車内側或いは車外側に面する第１表皮部材６の表面６ａ側の端部６ｂと、前記シートバック２或いはシートクッション３の前側、即ち乗員が着座する側に面する第２表皮部材７の表面７ａ側の端部７ｂとを重ねると共に前記第２表皮部材７の端部７ｂの裏面７ｃ側に配した適宜の剛性を有するガイド部材８を覆うように第２表皮部材７を折り返して、第１表皮部材６、第２表皮部材７、ガイド部材８の四枚を重ねて共に固持してなる。
【００２０】
前記ガイド部材８は、適宜の剛性を有すると共に断面が略円形状を成す玉縁部９と、該玉縁部９に尾ひれのように突出されてなる可撓性を有する支持部１０とより、合成樹脂により一体に形成されてなる。前記ガイド部材８の玉縁部９は、前記第１表皮部材６の表面６ａ側の面位置より上側に突出した位置に配設されてなる。
【００２１】
次に、かかる座席１の製造方法を説明する。図２に示すように、前記表皮５の第１表皮部材６の表面６ａ側の端部６ｂと第２表皮部材７の表面７ａ側の端部７ｂとを重ねると共に前記第２表皮部材７の端部７ｂの裏面７ｃ側に、ガイド部材８の支持部１０を重ねて、縫い糸１１により該三枚の部材６，７，８を支持してなり、前記第２表皮部材７をガイド部材８の玉縁部９の頂部９ａを越えて折り返すことで前記ガイド部材８の玉縁部９を覆い、第１表皮部材６、第２表皮部材７、ガイド部材８の支持部１０の四枚を重ねて縫い糸１１により共に固持してなる。
【００２２】
次に、この実施形態の作用を説明する。
【００２３】
ガイド部材８が第２表皮部材７によって覆われてなることで、第２表皮部材７を介してガイド部材８の形、つまり、表皮５の仕切機能を有しつつ、ガイド部材８は、芯材であればよいので、製造原価が著しく低減でき、芯材であるガイド部材８を覆うのは、第２表皮部材７そのものであるので、色調や艶にバラツキは生ぜず、商品性を向上できることになる。
【００２４】
ガイド部材８の玉縁部９は、適宜の剛性を有するので、適宜曲げることで、表皮５はその形状に保持されるので、表皮５の仕切部の形状をより出し易くなる。また、支持部１０は、可撓性を有するので、玉縁部９の形状に追従し、何等抵抗体にならないので、表皮５の仕切部の形状出しが容易にできる。また、玉縁部９を第２表皮材７の裏面７ｃ側に配設されてなるので、裏面７ｃ側に配した第２表皮材７がガイド部材８に引っ張られて、第２表皮材７に皺が発生せず、商品性を高めることができる。
【００２５】
前記ガイド部材８の玉縁部９は、前記第１表皮部材６の表面６ａ側の面位置より上側に突出した位置に配設されてなるので、第１表皮部材６の表面６ａ側の面位置より上側に突出したガイド部材８の玉縁部９により、仕切が確実になる。
【００２６】
前記した製造方法によるため、表皮５は、第１表皮部材６の表面６ａ側の端部６ｂと第２表皮部材７の端部７ｂの表面７ａ側とを重ねると共に前記第２表皮部材７の端部７ｂの裏面７ｃ側にガイド部材８の支持部１０を重ねて、該三枚の部材６，７，８を支持してなるので、ガイド部材８の位置が安定的に支持できる。また、ガイド部材８が第２表皮部材７によって覆われてなることで、第２表皮部材７を介してガイド部材８の形、つまり、表皮５の仕切機能を有する。更に、ガイド部材８は、芯材そのものであればよいので、製造原価が著しく低減できる。更に、芯材であるガイド部材８を覆うのは、第２表皮部材７そのものであるので、色調や艶にバラツキは生ぜず、商品性を向上できることになる。
【００２７】
図４は、この発明の他の実施形態を示すもので、前記表皮５は、第１表皮部材６の表面６ａ側の端部６ｂと第２表皮部材７の表面７ａ側の端部７ｂとを重ねると共に前記第２表皮部材７の端部７ｂの裏面７ｃ側にガイド部材８の支持部１０を重ねて、該三枚の部材６，７，８を縫い糸１１により支持してなり、前記第２表皮部材７をガイド部材８の玉縁部９の頂部９ａを越えて折り返すことで前記ガイド部材８の玉縁部９を覆い、第２表皮部材７、ガイド部材８の支持部１０の三枚を重ねて、該三枚の部材７，８、７を縫い糸１１により固持してなる。
【００２８】
かかる製造方法によれば、表皮５は、第１表皮部材６の表面６ａ側の端部６ｂと第２表皮部材７の表面７ａ側の端部７ｂとを重ねると共に前記第２表皮部材７の端部７ｂの裏面７ｃ側にガイド部材８の支持部１０を重ねて、該三枚の部材７，８、７を支持してなるので、ガイド部材８の位置が安定的に支持できる。また、ガイド部材８が第２表皮部材７によって覆われてなることで、第２表皮部材７を介してガイド部材８の形、つまり、表皮５の仕切機能を有する。更に、ガイド部材８は、芯材そのものであればよいので、製造原価が著しく低減できる。更に、芯材であるガイド部材８を覆うのは、第２表皮部材７そのものであるので、色調や艶にバラツキは生ぜず、商品性を向上できることになる。更に、第２表皮部材７をガイド部材８と共に支持されることで、三枚重ねで済み、支持手段が簡易となる。
【００２９】
図４に示す二点鎖線は、縫い糸１１による第１表皮部材６の表面６ａ側の端部６ｂと第２表皮部材７の表面７ａ側の端部７ｂとを重ねると共に前記第２表皮部材７の端部７ｂの裏面７ｃ側にガイド部材８の支持部１０を重ねて、該三枚の部材６，７，８を支持してなる際に、縫い糸１１の支持位置を図４の実線で示す位置よりも上側に持ち上げれば、第１表皮部材６が二点鎖線で示すように、ガイド部材８に近くなることを示す。
【００３０】
尚、以上の実施形態では、シートバック２の断面を示したが、これに限定されるものではなく、シートクッション３に設けられるものでもよい。また、前記実施形態では、座席として乗り物用シートを例にして説明したが、これに限定されるものではなく、家屋内に配置される座席、観劇用の椅子など着座することが目的とされる座席は全てこの発明の範疇であることは勿論である。
【００３１】
【発明の効果】
請求項１に記載の発明によれば、ガイド部材が第２表皮部材によって覆われてなることで、第２表皮部材を介してガイド部材の形、つまり、表皮の仕切機能を有しつつ、ガイド部材は、芯材であればよいので、製造原価が著しく低減でき、芯材であるガイド部材を覆うのは、第２表皮部材そのものであるので、色調や艶にバラツキは生ぜず、商品性を向上できることになる。
【００３２】
請求項２に記載の発明によれば、適宜の剛性を有する玉縁部を適宜曲げることでその形状に保持されるので、表皮の仕切部の形状をより出し易くなる。また、支持部は、可撓性を有するので、玉縁部の形状に追従し、何等抵抗体にならないので、形状出しが容易にできる。また、玉縁部を第２表皮材の裏面側に配設されてなるので、裏面側に配した第２表皮材がガイド部材に引っ張られて、第２表皮材に皺が発生せず、商品性を高めることができる。
【００３３】
請求項３に記載の発明によれば、第１表皮部材の表面側の面位置より上側に突出したガイド部材の玉縁部により、仕切が確実になる。
【００３４】
請求項４に記載の発明によれば、表皮は、第１表皮部材の表面側の端部と第２表皮部材の表面側の端部とを重ねると共に前記第２表皮部材の端部の裏面側にガイド部材の支持部を重ねて、該三枚の部材を支持してなるので、ガイド部材の位置が安定的に支持できる。また、ガイド部材が第２表皮部材によって覆われてなることで、第２表皮部材を介してガイド部材の形、つまり、表皮の仕切機能を有する。更に、ガイド部材は、芯材そのものであればよいので、製造原価が著しく低減できる。更に、芯材であるガイド部材を覆うのは、第２表皮部材そのものであるので、色調や艶にバラツキは生ぜず、商品性を向上できることになる。
【００３５】
請求項５に記載の発明によれば、表皮は、第１表皮部材の表面側の端部と第２表皮部材の表面側の端部とを重ねると共に前記第２表皮部材の端部の裏面側にガイド部材の支持部を重ねて、該三枚の部材を支持してなるので、ガイド部材の位置が安定的に支持できる。また、ガイド部材が第２表皮部材によって覆われてなることで、第２表皮部材を介してガイド部材の形、つまり、表皮の仕切機能を有する。更に、ガイド部材は、芯材そのものであればよいので、製造原価が著しく低減できる。更に、芯材であるガイド部材を覆うのは、第２表皮部材そのものであるので、色調や艶にバラツキは生ぜず、商品性を向上できることになる。更に、第２表皮部材をガイド部材と共に支持されることで、三枚重ねで済み、支持手段が簡易となる。
【図面の簡単な説明】
【図１】この発明の一実施形態に係る座席の斜視図。
【図２】図１のＳＡ−ＳＡ線に係る断面の製造途中を示す拡大断面図。
【図３】図１のＳＡ−ＳＡ線に係る拡大断面図。
【図４】この発明の他の実施形態に係る図３相当断面図。
【符号の説明】
１  座席
２  シートバック
３  シートクッション
５  表皮
６  第１表皮部材
６ａ  第１表皮部材の表面
６ｂ  第１表皮部材の端部
７  第２表皮部材
７ａ  第２表皮部材の表面
７ｂ  第２表皮部材の端部
７ｃ  第２表皮部材の裏面
８  ガイド部材
９  玉縁部
１０  支持部
１１  縫い糸
【図１】
2005013620.tif 000003
【図２】
2005013620.tif 000004
【図３】
2005013620.tif 000005
【図４】
2005013620.tif 000006